(57)【要約】【課題】キャスターが取付けられた機器を持ち上げることなくキャスターの交換を可能として、キャスターの交換を容易に且つ短時間で行えるようにする。【解決手段】キャスター本体４２の下方に回転自在に支持された車輪４４と、前記キャスター本体４２の上方に伸びるキャスター取付ロッド４６を有するキャスター４０を、機器（ガイドフレーム３６）の底面に取付けるためのキャスター取付構造において、前記キャスター４０が取付けられる機器（３６）の底面に配設される、前記キャスター取付ロッド４６がキャスターを取外す横方向Ａに通過可能な開口端５０Ｂを有するキャスター取付溝５０Ａが形成されたキャスター取付板５０を備え、前記開口端５０Ｂから前記キャスター取付溝５０Ａに横方向に挿入された前記キャスター取付ロッド４６の上端が、前記キャスター取付板５０に固定されている。【選択図】図４
2019001363.tif 000002
【特許請求の範囲】
【請求項１】
キャスター本体の下方に回転自在に支持された車輪と、前記キャスター本体の上方に伸びるキャスター取付ロッドを有するキャスターを、機器の底面に取付けるためのキャスター取付構造において、
前記キャスターが取付けられる機器の底面に配設される、前記キャスター取付ロッドがキャスターを取外す横方向に通過可能な開口端を有するキャスター取付溝が形成されたキャスター取付板を備え、
前記開口端から前記キャスター取付溝に横方向に挿入された前記キャスター取付ロッドの上端が、前記キャスター取付板に固定されていることを特徴とするキャスター取付構造。
【請求項２】
前記キャスター取付溝が、前記キャスター取付板に、前記開口端に繋がるキャスター取外し方向と、該キャスター取外し方向と直交する方向に伸びるＬ字状に形成されていることを特徴とする請求項１に記載のキャスター取付構造。
【請求項３】
前記キャスター取付板に、前記キャスター取付溝から独立した閉じた孔が設けられると共に、
該閉じた孔を通る固定具が挿通可能な穴と、前記キャスター取付ロッドが挿通可能な孔が並設されたキャスター抜出防止板が備えられ、
該キャスター抜出防止板を挟んで前記キャスター取付ロッド及び前記閉じた孔を通る固定具が固定されていることを特徴とする請求項１又は２に記載のキャスター取付構造。
【請求項４】
前記キャスター抜出防止板に設けられた、前記固定具が挿通可能な穴が、キャスター取外し方向と直交する方向に長い長穴とされていることを特徴とする請求項３に記載のキャスター取付構造。
【請求項５】
前記キャスター本体の高さが調整可能とされていることを特徴とする請求項１乃至４のいずれかに記載のキャスター取付構造。
【発明の詳細な説明】
【技術分野】
【０００１】
本発明は、キャスター取付構造に係り、特に製鉄所の連続鋳造機のタンディッシュカーに、ガス、電力、制御信号等を供給又は授受するユーティリティ供給管（ケーブルベア(登録商標、以下同)とも称する）を、タンディッシュカーの走行に合わせて走行させるユーティリティ供給台車（ケーブルベア台車とも称する）のキャスターに適用するのに好適な、重量物を支持走行させるキャスターを、重量物を持ち上げることなく、容易に且つ短い時間で交換することが可能なキャスター取付構造に関する。
【背景技術】
【０００２】
連続鋳造機において、鋳型への溶鋼の鋳込みは、レードルからの溶鋼を一旦タンディッシュで受け、該タンディッシュ底部のノズル（浸漬ノズル）から溶鋼流を一定に制御して鋳型に注入する。近年、タンディッシュの熱間使用や、鋳込み位置の手前からタンディッシュへの溶鋼注入を行うプリフィリング方式の採用に伴い、タンディッシュ移動動作の円滑化及びタンディッシュ再使用時の準備時間の短縮化のために、タンディッシュを円形軌道に沿って循環させる構造の連続鋳造機が出現している（例えば特許文献１乃至３参照）。
【０００３】
又、円形軌道上を循環するタンディッシュに、冷却水やアルゴンガスなどのユーティリティを供給するためのケーブルベアが知られている（特許文献４、５参照）。
【０００４】
更に、例えば移動用台などの重量物に取付けられたキャスターの取付対象物への取付け、取外しを容易化するための技術として、特許文献６には、基台の下面に取付部材から側方に離間した状態で突出形成され、突出端面に嵌合溝が形成された受けロッドと、キャスター本体の上面に、取付部材に側方から嵌入可能に形成され、嵌入された状態で、係止部と上下方向において係止される係止溝と、キャスターに取付けられ、係止部に係止溝が係止された状態で、嵌合溝に下方から嵌合可能になされた係止ロッドを具備するキャスター取付構造が記載されている。
【０００５】
又、特許文献７には、キャスター車輪部の取外しができるようにキャスターを持ち上げて支持する起立部を備えたキャスター支持用治具が記載されている。
【先行技術文献】
【特許文献】
【０００６】
【特許文献１】特公昭５２−３３０４９号公報
【特許文献２】特公昭５３−４０５６６号公報
【特許文献３】実用新案登録第２５４７３９４号公報
【特許文献４】実開平６−３４８４８号公報
【特許文献５】特開平５−７７００２号公報
【特許文献６】特許第３６１４２０５号公報（段落００２８〜００３５、図１２〜１５）
【特許文献７】特許第５８８８５６８号公報
【発明の概要】
【発明が解決しようとする課題】
【０００７】
しかしながら、キャスターは、キャスターが取付けられる構造物の底面に取付けられており、キャスター取付のためには、その機器を持ち上げ、キャスターを取外すための空間を作ることが必要である。
【０００８】
図１に、従来のキャスターの取付状態の一例を示す。下方に車輪１２を備えたキャスター１０の本体１４から上に伸びるキャスター取付ロッド１６を、キャスター１０が取付けられる機器２０の下方向から差し込み、キャスター固定用ナット１８で固定する方式となっている。この構造の場合は、キャスター１０が取付けられる機器２０を持ち上げ、キャスター１０を交換するための空間を作ってから交換する必要がある。しかし、設備によっては、キャスター１０が取付けられる機器２０と機器２０の上部の構造物との間にクリアランスが無かったり、キャスター１０が取付けられる機器２０の上部に移設や取外しが困難な構造物が存在して、機器２０を持ち上げることができない場合もある。このような場合には、キャスター１０の取替えが困難であり、キャスター１０が取付けられた機器２０を干渉物の無い場所に移動させるか、もしくはキャスター取付部分を周りの部品ごと切断し、再溶接するなどが必要であるが、それらには長時間かかり、また、切断による歪みが発生するなどの問題がある。
【０００９】
本発明は、前記従来の問題点を解決するべくなされたもので、キャスターが取付けられた機器を持ち上げることなくキャスターを交換可能として、キャスターの交換を容易に、且つ短時間で行えるようにすることを課題とする。
【課題を解決するための手段】
【００１０】
本発明は、キャスター本体の下方に回転自在に支持された車輪と、前記キャスター本体の上方に伸びるキャスター取付ロッドを有するキャスターを、機器の底面に取付けるためのキャスター取付構造において、前記キャスターが取付けられる機器の底面に配設される、前記キャスター取付ロッドがキャスターを取外す横方向に通過可能な開口端を有するキャスター取付溝が形成されたキャスター取付板を備え、前記開口端から前記キャスター取付溝に横方向に挿入された前記キャスター取付ロッドの上端が、前記キャスター取付板に固定されていることを特徴とするキャスター取付構造により、前記課題を解決するものである。
【００１１】
ここで、前記キャスター取付溝を、前記キャスター取付板に、前記開口端に繋がるキャスター取外し方向と、該キャスター取外し方向と直交する方向に伸びるＬ字状に形成することができる。
【００１２】
また、前記キャスター取付板に、前記キャスター取付溝から独立した閉じた孔を設けると共に、該閉じた孔を通る固定具が挿通可能な穴と、前記キャスター取付ロッドが挿通可能な孔が並設されたキャスター抜出防止板を備え、該キャスター抜出防止板を挟んで前記キャスター取付ロッド及び前記閉じた孔を通る固定具を固定することができる。
【００１３】
また、前記キャスター抜出防止板に設けられた、前記固定具が挿通可能な穴を、前記キャスターの取外し方向と直交する方向に長い長穴とすることができる。
【００１４】
また、前記キャスター本体の高さを調整可能とすることができる。
【発明の効果】
【００１５】
本発明によれば、キャスターを横方向に取外すことで、キャスターを持ち上げる必要がなくなるため、キャスターの交換を容易且つ短時間に行うことができる。また、キャスター交換に必要な空間を機器上部に作る必要もなくなる。
【図面の簡単な説明】
【００１６】
【図１】従来のキャスター取付構造の一例を示す断面図
【図２】本発明に係るキャスター取付構造の実施形態が適用される実機の例を示す、ケーブルベア台車全体の断面図
【図３】同じくガイドフレーム部分を示す図２のIII部拡大断面図
【図４】本発明に係るキャスター取付構造の実施形態を示す、一部を分解して示す斜視図
【発明を実施するための形態】
【００１７】
以下、図面を参照して、本発明の実施形態について詳細に説明する。なお、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００１８】
本発明の実施形態は、本発明を、図２（ケーブルベア台車全体の断面図）及び図３（ガイドフレーム部分を示す図２のIII部拡大断面図）に示すような、タンディッシュカー２４側とのユーティリティ接続用のケーブルベア台車２６の円弧状の走行用レール２８が設置されている、機械架構３０のレール設置台板３０Ｂの下側に配設される縦型のケーブルベア３２の倒れ込み防止として使用されているガイドフレーム３６の双輪キャスター（以下、単にキャスターと称する）４０の取付けに適用したものである。図において、２２は床、３０Ａは、機械架構３０の天井部に形成されたレードルオペレータデッキ、３０Ｃは同じく下部に形成された中間フロア、６２は、ケーブルベア３２がガイドフレーム３６と接触するのを防止するためのサイドローラ、６４は、ケーブルベア３２のキャスターである。
【００１９】
図３に詳細に示したように、ガイドフレーム３６の底面にキャスター４０があるが、ガイドフレーム３６の上部には、取外しが困難な構造物である機械架構３０のレール設置台板３０Ｂがあり、ガイドフレーム３６を持ち上げることができなかった。
【００２０】
そこで本実施形態においては、図４に示す如く、キャスター本体４２の下方に回転自在に支持された車輪４４と、前記キャスター本体４２の上方に延びるキャスター取付ロッド４６を有するキャスター４０を、キャスター４０が取付けられる機器であるガイドフレーム３６の底面に取付けるために、前記ガイドフレーム３６の底面に配設される、前記キャスター取付ロッド４６がキャスター４０を取外す水平の横方向（キャスター取外し方向と称する）Ａに通過可能な開口端５０Ｂを有するキャスター取付溝５０Ａが形成されたキャスター取付板５０を備えると共に、前記開口端５０Ｂから前記キャスター取付溝５０Ａに水平の横方向に挿入されたキャスター取付ロッド４６の上端を、キャスター固定用ナット４８により前記キャスター取付板５０に固定するようにしたものである。
【００２１】
本実施形態においては、更に、前記キャスター取付板５０に、キャスター取付溝５０Ａから独立した閉じた孔５０Ｃを設けると共に、該閉じた孔５０Ｃを通るボルト５４が挿通可能な、前記キャスター取外し方向Ａと直交する方向（単に直交方向とも称する）Ｂに長い長穴５２Ａと、前記キャスター取付ロッド４６が挿通可能な孔５２Ｂが並設されたキャスター抜出防止板５２を備え、該キャスター抜出防止板５２を挟んで前記キャスター取付ロッド４６の上部を前記キャスター固定用ナット４８で固定すると共に、前記長穴５２Ａ及び閉じた孔５０Ｃを通るボルト５４を、例えば上から差し込んでナット５６で下から固定するようにしたものである。
【００２２】
前記キャスター取付溝５０Ａは、キャスター取付板５０に、開口端５０Ｂに繋がるキャスター取外し方向Ａと、該キャスター取外し方向Ａと直交する方向Ｂに伸びるＬ字状に形成され、キャスター４０がキャスター取外し方向Ａに容易にずれないようにされている。
【００２３】
又、前記キャスター抜出防止板５２により、キャスター４０がキャスター取外し方向Ａと直交する方向Ｂにもずれないようにされている。
【００２４】
ここで、前記キャスター抜出防止板５２に設けられた、ボルト５４が挿通可能な閉じた穴を、直交方向Ｂに長い長穴５２Ａとしているのは、キャスター抜出防止板５２の固定を容易とするためである。
【００２５】
更に、前記キャスター本体４２の高さを微調整可能として、キャスター取付板５０からのキャスター４０の取外しや取付けを容易とすることもできる。
【００２６】
なお、前記実施形態においては、キャスター取付板５０がガイドフレーム３６と別体とされていたが、両者を一体として、例えばガイドフレーム３６の底面自体にキャスター取付溝５０Ａを形成することもできる。又、固定具もボルトとナットの組合せに限定されない。
【００２７】
前記実施形態においては、本発明が、連続鋳造機のタンディッシュカー２４にガス、電力、制御信号等を供給又は授受するケーブルベア台車２６の縦型のケーブルベア３２の倒れ込み防止として使用されているガイドフレーム３６の双輪キャスター４０へ適用されていたが、本発明の適用対象はこれに限定されず、ケーブルベア３２のキャスター６４の取付構造や連続鋳造機のタンディッシュカー以外の重量物一般に取付けられるキャスターの取付構造にも同様に適用することができる。キャスターの種類も双輪キャスターに限定されない。
【符号の説明】
【００２８】
２４…タンディッシュカー
２６…ケーブルベア台車
３０…機械架構
３０Ｂ…レール設置台板
３２…ケーブルベア
３６…ガイドフレーム
４０、６４…（双輪）キャスター
４２…キャスター本体
４４…車輪
４６…キャスター取付ロッド
４８…キャスター固定用ナット
５０…キャスター取付板
５０Ａ…キャスター取付溝
５０Ｂ…開口端
５０Ｃ…閉じた孔
５２…キャスター抜出防止板
５２Ａ…長穴
５２Ｂ…孔
５４…ボルト
５６…ナット
Ａ…キャスター取外し方向
Ｂ…直交方向
【図１】
2019001363.tif 000003
【図２】
2019001363.tif 000004
【図３】
2019001363.tif 000005
【図４】
2019001363.tif 000006